Podtech/llm-jp-corpus-v4-ja_patent huggingface dataset:
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
被接合材の少なくとも一方の平均結晶粒径が100〜5×10３ｎｍであるアルミニウム又はアルミニウム基合金が、摩擦攪拌接合法によって接合されていることを特徴とするアルミニウム基接合構造物。
【請求項２】
被接合材の少なくとも一方が、機械的合金化処理され焼結されたアルミニウム基合金、繰返し重ね圧延アルミニウム基合金、異周速冷間圧延アルミニウム基合金及びクロス冷間圧延アルミニウム基合金のいずれかよりなり、摩擦攪拌接合法によって接合されていることを特徴とするアルミニウム基接合構造物。
【請求項３】
被接合材の少なくとも一方の平均結晶粒径が100〜5×10３ｎｍであるアルミニウム基合金と、平均結晶粒径が5×10３ｎｍを越える純アルミニウム又はアルミニウム基合金とが摩擦攪拌接合法によって接合されていることを特徴とするアルミニウム基接合構造物。
【請求項４】
請求項１〜３のいずれかにおいて、前記アルミニウム基合金が、重量で、Si+Fe 1.0％以下、Cu 0.2％以下、Mn 0.05％以下、Mg 0.1％以下、Zn 0.1％以下及びTi 0.1％以下を含有するアルミニウム基合金からなることを特徴とするアルミニウム基接合構造物。
【請求項５】
請求項１〜３のいずれかにおいて、前記アルミニウム基合金が、重量で、Si 1.2％以下、Fe 0.7％以下、Cu 3.9〜6.8％、Mn 1.2％以下、Mg 1.8％以下、Cr 0.10％以下、Zn 0.25％以下、Zr+Ti 0.25％以下を含有するアルミニウム基合金からなることを特徴とするアルミニウム基接合構造物。
【請求項６】
請求項１〜３のいずれかにおいて、前記アルミニウム基合金が、重量で、Si 0.6％以下、Fe 0.8％以下、Cu 0.30％以下、Mn 0.8〜1.5％、Mg 1.3％以下、Cr 0.20％以下、Zn 0.40％以下、Ti 0.10％以下を含有するアルミニウム基合金からなることを特徴とするアルミニウム基接合構造物。
【請求項７】
請求項１〜３のいずれかにおいて、前記アルミニウム基合金が、重量で、Si 0.40％以下、Fe 0.50％以下、Cu 0.20％以下、Mn 1.0％以下、Mg 0.50〜5.0％、Cr 0.35％以下、Zn 0.25％以下及びTi 0.20％以下を含有するアルミニウム基合金からなることを特徴とするアルミニウム基接合構造物。
【請求項８】
請求項１〜３のいずれかにおいて、前記アルミニウム基合金が、重量で、Si 0.40〜0.8％、Fe 0.7％以下、Cu 0.15〜0.40％、Mn 0.15％以下、Mg 0.8〜1.2％、Cr 0.04〜0.35％、Zn 0.25％以下及びTi 0.20％以下を含有するアルミニウム基合金からなることを特徴とするアルミニウム基接合構造物。
【請求項９】
請求項１〜３のいずれかにおいて、前記アルミニウム基合金が、重量で、Si 0.40％以下、Fe 0.50％以下、Cu 1.2〜2.0％、Mn 0.30％以下、Mg 2.1〜2.9％、Cr 0.18〜0.28％、Zn 5.1〜6.1％及びZr+Ti 0.25％以下を含有するアルミニウム基合金からなることを特徴とするアルミニウム基接合構造物。
【請求項１０】
請求項１〜９のいずれかにおいて、前記アルミニウム基合金は、該合金粉末と、炭化物粉末、窒化物粉末及び酸化物粉末の少なくとも１種とを、アトライター又はボールミル装置により機械的合金化処理した後、所望の温度に加熱し、該加熱した機械的合金化処理粉末を直接押出、圧延又は鍛造することによって得られることを特徴とするアルミニウム基接合構造物。
【請求項１１】
請求項５、８、９のいずれかにおいて、前記摩擦攪拌接合法によって接合された後、時効処理されていることを特徴とするアルミニウム基接合構造物。
【請求項１２】
請求項１〜１１のいずれかにおいて、前記摩擦攪拌接合法は、水、オイル及び不活性ガスのいずれかの冷却剤中、又は接合部の近傍または全体に対して前記冷却剤の噴出によって強制的に冷却しながら接合されることを特徴するアルミニウム基接合構造物。
【手続補正書】
【提出日】平成16年3月3日(2004.3.3)
【手続補正１】
【補正対象書類名】明細書
【補正対象項目名】００１５
【補正方法】変更
【補正の内容】
【００１５】
第１工程はダイセットの複数工程の最左端に位置し、図２に示すように下台２の上面にダイホルダ１１が位置決めして固定されており、このダイホルダ１１にブランキングダイ９とその直下に初絞りダイ１０がそれぞれの中心を高精度に一致させて挿着されている。ブランキングダイ９の真上には材料Ｗが通され、スライド５の上下動に同期して間欠的に紙面に対して直角方向へ定量送りされる。一方上台８前面にはパンチホルダ１２Ａが取着され、このパンチホルダ１２Ａには、請求項に記載の打抜きパンチに相当するブランキングパンチ１２が挿着され固定されている。さらに、このブランキングパンチ１２の中心に上下に貫通して穿孔された案内孔に案内されて、このブランキングパンチ１２の内部を上下に移動可能に初絞りパンチ１４が嵌入されている。初絞りパンチ１４の上端部には凹形状の枢着部分を持ったジョイントブロック１５が取り着けられ、右方に接した案内板１５Ａに案内されて上下に移動可能となっている。
【手続補正書】
【提出日】平成17年3月25日(2005.3.25)
【手続補正１】
【補正対象書類名】明細書
【補正対象項目名】発明の名称
【補正方法】変更
【補正の内容】
【発明の名称】セーバソー
【手続補正２】
【補正対象書類名】明細書
【補正対象項目名】特許請求の範囲
【補正方法】変更
【補正の内容】
【特許請求の範囲】
【請求項１】
軸方向に沿って延び、ブレードが挿入されるスリット及びスリットが延びる方向と直交して設けられ、少なくともスリットまで貫通した貫通穴を先端部に有し、往復動されるプランジャと、貫通穴内に進退可能に設けられ、ブレードをスリットの壁に押圧係止する係止ピンと、プランジャの先端部にプランジャの軸方向と直角方向に変形可能な第１弾性体とを備え、第１弾性体の弾性力によって係止ピンを押圧し、プランジャの軸方向と直角方向に第１弾性体を変形させることにより、係止ピンの押圧を解除することを特徴とするセーバソー。
【請求項２】
軸方向に沿って延び、ブレードが挿入されるスリット及びスリットが延びる方向と直交して設けられ、少なくともスリットまで貫通した貫通穴を先端部に有し、往復駆動されるプランジャと、貫通穴内に進退可能に設けられ、ブレードの取付端部に設けられた係止穴を貫通する係止突起及びブレードの取付端部側面をスリットの壁に押圧係止する係止面を有した係止ピンと、プランジャの先端部にプランジャの軸方向と直角方向に変形可能な第１弾性体とを備え、第１弾性体の弾性力によって係止ピンを押圧し、プランジャの軸方向と直角方向に第１弾性体を変形させた時、係止ピンの押圧を解除することを特徴とするセーバソー。
【請求項３】
前記第１弾性体により係止ピンの抜け出しを阻止することを特徴とする請求項１記載のセーバソー。
【請求項４】
前記プランジャに第１弾性体を固着することを特徴とする請求項１記載のセーバソー。
【請求項５】
前記係止ピンを半径方向外側に押圧させる押圧部材をプランジャの貫通穴に設けたことを特徴とする請求項１記載のセーバソー。
【請求項６】
前記プランジャに回動可能なノブを設け、ノブを回動させることにより第１弾性体を変形させ、係止ピンの押圧を解除することを特徴とする請求項１記載のセーバソー。
【請求項７】
前記ノブが第１弾性体におよぼす作用点と回動の中心である支点との距離が、ノブに及ぼす力点と回動の中心である支点との距離より短かくし、力点におよぼした力より、大きな力を作用点におよぼすことを特徴とする請求項６記載のセーバソー。
【請求項８】
前記第１弾性体と概ね平行に第２弾性体を設けノブの係止を行うことを特徴とする請求項１記載のセーバソー。
【請求項９】
前記ノブが第１弾性体または第２弾性体の弾性力によって、ブレード挿入可能な状態で係止されることを特徴とする請求項６記載のセーバソー。
【手続補正３】
【補正対象書類名】明細書
【補正対象項目名】０００１
【補正方法】変更
【補正の内容】
【０００１】
【発明の属する技術分野】本発明は住宅やビルの建築、設備、改装、解体工事等において木材、鋼材、パイプ等を切断するセーバソーに関するものである。
【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
遊技媒体を流通させることにより遊技を行なう遊技機であって、
前記遊技媒体が略鉛直下方向に流動する通路である遊技媒体流動通路と、
前記遊技に関する動作を制御する制御基板と
を備え、
前記制御基板を、該制御基板の少なくとも一方の側の導体パターンが前記遊技媒体流動通路における遊技媒体の流動方向に沿った方向となるように配設した
遊技機。
【手続補正２】
【補正対象書類名】明細書
【補正対象項目名】０００５
【補正方法】変更
【補正の内容】
【０００５】
【課題を解決するための手段およびその作用・効果】
本発明の遊技機は、
遊技媒体を流通させることにより遊技を行なう遊技機であって、
前記遊技媒体が略鉛直下方向に流動する通路である遊技媒体流動通路と、
前記遊技に関する動作を制御する制御基板と
を備え、
前記制御基板を、該制御基板の少なくとも一方の側の導体パターンが前記遊技媒体流動通路における遊技媒体の流動方向に沿った方向となるように配設したことを要旨とする。
【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
遊技媒体を流通させることにより遊技を行なう遊技機であって、
制御基板にデジタル回路を取り付けることにより構成され、前記遊技に関する動作を制御する制御部を有し、
前記制御基板は、導体パターンとして、表側の電源ラインと裏側の電源ラインとが互いに交差する方向に形成された電源ライン交差パターン、表側のグランドラインと裏側のグランドラインとが互いに交差する方向に形成されたグランドライン交差パターンという二つの交差パターンのうちの少なくとも一方を備え、
前記複数の各制御基板が樹脂製のカバー部材で覆われた
遊技機。
【手続補正２】
【補正対象書類名】明細書
【補正対象項目名】０００７
【補正方法】変更
【補正の内容】
【０００７】
【課題を解決するための手段およびその作用・効果】
本発明の遊技機は、
遊技媒体を流通させることにより遊技を行なう遊技機であって、
制御基板にデジタル回路を取り付けることにより構成され、前記遊技に関する動作を制御する制御部を有し、
前記制御基板は、導体パターンとして、表側の電源ラインと裏側の電源ラインとが互いに交差する方向に形成された電源ライン交差パターン、表側のグランドラインと裏側のグランドラインとが互いに交差する方向に形成されたグランドライン交差パターンという二つの交差パターンのうちの少なくとも一方を備え、
前記複数の各制御基板が樹脂製のカバー部材で覆われたことを要旨とする。
【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
遊技領域が形成された遊技盤と、その遊技盤に開設された窓部に取付けられる表示装置とを備えた遊技機において、
前記窓部に、前面部の開口した箱枠部材が嵌合され、当該箱枠部材に前記表示装置が収納されることにより、
前記表示装置が前記遊技盤に取付けられる取付構造を有した遊技機。
【請求項２】
前記箱枠部材には、前記表示装置の外形状と略一致する収納凹部が形成されていることを特徴とする請求項１に記載の遊技機。
【請求項３】
前記表示装置には、外部と電気的に接続可能とするための接続端子が当該表示装置の背面側に露出するように設けられ、
前記箱枠部材の底部には、前記接続端子に通じる通孔が形成されていることを特徴とする請求項１又は２に記載の遊技機。
【請求項４】
前記箱枠部材の開口部周縁には係止縁部が形成され、
前記窓部には、前記遊技盤の前面側において、前記係止縁部が係合される係合段差部が形成され、
前記箱枠部材を前記遊技盤の前面から前記窓部に挿入し、前記係止縁部を前記係合段差部に当接させ、
前記窓部の周縁を覆うような装飾部材を前記遊技盤の前面部に取付けることによって、前記係止縁部が前記係合段差部に押さえ付けられるようにしたことを特徴とする請求項１乃至３のいずれかに記載の遊技機。
【手続補正書】
【提出日】平成16年2月23日(2004.2.23)
【手続補正１】
【補正対象書類名】明細書
【補正対象項目名】０００８
【補正方法】変更
【補正の内容】
【０００８】
この構成によれば、開閉店履歴データファイルに対して、実際に開店処理や閉店処理が行われた時刻がそれぞれ開店時刻及び閉店時刻として記憶されるから、その記憶内容に基づいて、開店処理や閉店処理が適正なタイミングで行われたか否かを後から容易に確かめることができる。また、その開閉店履歴データファイルに記憶された開店時刻及び閉店時刻の少なくとも一方を変更すれば、演算手段が、変更後の開店時刻から閉店時刻までの期間における遊技機毎の遊技データを前記履歴データファイルに基づいて再計算すると共に、前記日毎データファイル中の累積データを上記のように再計算した遊技データに変更するようになるから、その日毎データの補正のための操作をきわめて簡単に行い得ることになる。


【手続補正２】
【補正対象書類名】明細書
【補正対象項目名】００１７
【補正方法】変更
【補正の内容】
【００１７】
図２において、電源投入後には、まず、コンピュータ装置をＯＳ（Operating System）の管理下に入れると共にデータ管理に必要なソフトウエアを読み込むための起動処理ルーチンＳ１を実行し、この後に、開店操作（本発明でいう開店処理に相当）の有無を判断するステップＳ２、パチンコ遊技機２からの特賞信号が立ち上がりを判断するステップＳ３、パチンコ遊技機２からの稼働信号（アウト信号、セーフ信号、スタート信号）の入力の有無を判断するステップＳ４、例えば１分周期に設定された履歴データ更新タイミングに至ったか否かを判断するステップＳ５、閉店操作（本発明でいう閉店処理に相当）の有無を判断するステップＳ６、開閉店時刻変更操作の有無を判断するステップＳ７、終了操作の有無を判断するステップＳ８をサイクリックに実行する待機ループを形成する。


【手続補正３】
【補正対象書類名】明細書
【補正対象項目名】００２６
【補正方法】変更
【補正の内容】
【００２６】
また、閉店操作があった場合（ステップＳ６で「ＹＥＳ」）には、開閉店時刻履歴データファイル（図７参照）中における当日の日付に対応したレコード中のデータフィールドに現在の時刻を閉店時刻として記憶するステップＳ１７、日毎データファイル（図６参照）中における当日の日付に対応したブロック中のデータフィールドに現在の時刻を閉店時刻として記憶するステップＳ１８を順次実行した後に待機ループ（ステップＳ７）へ移行する。
【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
遊技機において所定のイベントが発生したとき、自動で店内放送を行なうようにした遊技店用放送システムにおいて、
前記発生したイベントを、店内放送の放送情報としてその種類別に分類して記憶する複数の記憶領域を有する第１の記憶手段と、該第１の記憶手段の前記記憶領域に記憶された放送情報を、複数の前記記憶領域に対する読出し動作の順序を定めたポーリングプログラムに従って読出す読出し手段と、該読出し手段が読み出した順に記憶する第２の記憶手段と、該第２の記憶手段が記憶する放送情報を記憶順に読み出して、その放送情報に対応した音声信号を出力する音声出力手段と、を備えたことを特徴とする遊技店用放送システム。
【請求項２】
前記ポーリングプログラムは、複数の前記記憶領域に対しそれぞれの記憶領域へのポーリングの頻度を調節する請求項１に記載の遊技店用放送システム。
【手続補正２】
【補正対象書類名】明細書
【補正対象項目名】０００６
【補正方法】変更
【補正の内容】
【０００６】
上記課題を解決するために、本発明の、遊技機において所定のイベントが発生したとき、自動で店内放送を行なうようにした遊技店用放送システムにおいては、店内放送の放送情報を、その種類別に分類して記憶する複数の記憶領域を有する第一の記憶手段と、該第一の記憶手段の記憶領域に記憶された放送情報を、複数の前記記憶領域に対する読出し動作の順序を定めたポーリングプログラムに従って読出す読出し手段と、該読出し手段が読み出した順に記憶する第二の記憶手段と、該第二の記憶手段が記憶する放送情報を記憶順に読み出して、その放送情報に対応した音声信号を出力する音声出力手段と、を備えたことを特徴とする。
【手続補正書】
【提出日】平成16年4月8日(2004.4.8)
【手続補正１】
【補正対象書類名】明細書
【補正対象項目名】０１７２
【補正方法】変更
【補正の内容】
【０１７２】
実施例２１：シリカ担持Ｒｕ触媒の調製
ルテニウム元素を３．９６９重量％含有する硝酸ルテニウム水溶液６．６３０ｇをビーカーに計りとり水溶液（４）とした。シリカ担体（ＣＡＲｉＡＣＴ  Ｑ−１５）１０．００ｇを水溶液（４）を調製したビーカーに加え、水溶液（４）の全量をシリカ担体に吸収した。
水溶液（４）を吸収したシリカ担体を窒素気流下１００℃で１時間乾燥した。その後、水素気流下４００℃で２時間還元し金属ルテニウム担持触媒を得た。


【手続補正２】
【補正対象書類名】明細書
【補正対象項目名】０１８２
【補正方法】変更
【補正の内容】
【０１８２】
実施例２５：シリカ担持Ｎｉ触媒の調製
硝酸ニッケル６水和物２．７５２ｇをビーカーに計りとり、ここに脱イオン水３．５０ｇを加えて溶解し水溶液（５）を調製した。シリカ担体（ＣＡＲｉＡＣＴ  Ｑ−１５）５．００ｇを水溶液（５）を調製したビーカーに加え、水溶液（５）の全量をシリカ担体に吸収した。
水溶液（５）を吸収したシリカ担体を窒素気流下１００℃で１時間乾燥した。その後、水素気流下４００℃で２時間還元し金属ニッケル担持触媒を得た。
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
複数種類の補助ゲームを行い、補助ゲームの結果態様に関連して特定の遊技価値を付与する特別遊技状態を生起可能な遊技機において、
前記補助ゲームの実行条件の成立を所定の上限数まで記憶し、前記補助ゲームの実行に応じて記憶を減数する条件成立記憶手段と、
前記補助ゲームの複数種類のパターンの各々に対して設定された評価値を記憶する記憶領域と、
前記特別遊技状態が終了してから次の特別遊技状態が生起するまでに行われた補助ゲーム毎に、前記記憶領域から取得した評価値を累積した値により遊技過程を検出する遊技過程検出手段と、
前記特別遊技状態が生起すると、前記遊技過程検出手段が検出した遊技過程によって、前記条件成立記憶手段における条件成立記憶の上限数を変更する記憶上限数変更手段と、を備えることを特徴とする遊技機。
【請求項２】
前記評価値は、出現率の低い補助ゲームの評価値を大きくし、出現率の高い補助ゲームの評価値を小さく設定されることを特徴とする請求項１に記載の遊技機。
【請求項３】
前記評価値は、前記補助ゲームの時間が長いと大きくなるように設定されることを特徴とする請求項１又は２に記載の遊技機。
【手続補正２】
【補正対象書類名】明細書
【補正対象項目名】０００３
【補正方法】変更
【補正の内容】
【０００３】
そして、いわゆる一種遊技機においては、補助遊技として、変動表示装置における変動表示ゲームが行われ、変動表示ゲームの結果、遊技図柄が特定の組み合わせで停止すると、特別遊技状態となり、変動入賞装置が開成して遊技者に所定の遊技価値が付与される。この変動表示ゲームは、始動口への遊技球の入賞によって開始される。そして、未だ変動表示ゲームが行われていない始動口への入賞は、補助ゲームの実行開始条件として所定の記憶領域（入賞記憶領域）に記憶される。この補助ゲーム（変動表示ゲーム、入賞口開放動作等）の実行条件の成立を記憶する入賞記憶は固定（例えば、４個）されている。また、遊技状態や特別遊技状態の態様によって上限値を変更する遊技機も提案されている（例えば、特開２０００−２８８１７５号公報）。
【手続補正３】
【補正対象書類名】明細書
【補正対象項目名】０００７
【補正方法】変更
【補正の内容】
【０００７】
【課題を解決するための手段】
第１の発明は、複数種類の補助ゲームを行い、補助ゲームの結果態様に関連して特定の遊技価値を付与する特別遊技状態を生起可能な遊技機において、前記補助ゲームの実行条件の成立を所定の上限数まで記憶し、前記補助ゲームの実行に応じて記憶を減数する条件成立記憶手段と、前記補助ゲームの複数種類のパターンの各々に対して設定された評価値を記憶する記憶領域と、前記特別遊技状態が終了してから次の特別遊技状態が生起するまでに行われた補助ゲーム毎に、前記記憶領域から取得した評価値を累積した値により遊技過程を検出する遊技過程検出手段と、前記特別遊技状態が生起すると、前記遊技過程検出手段が検出した遊技過程によって、前記条件成立記憶手段における条件成立記憶の上限数を変更する記憶上限数変更手段と、を備えることを特徴とする。
【手続補正４】
【補正対象書類名】明細書
【補正対象項目名】０００８
【補正方法】変更
【補正の内容】
【０００８】
第２の発明は、第１の発明において、前記評価値は、出現率の低い補助ゲームの評価値を大きくし、出現率の高い補助ゲームの評価値を小さく設定されることを特徴とする。
【手続補正５】
【補正対象書類名】明細書
【補正対象項目名】０００９
【補正方法】変更
【補正の内容】
【０００９】
第３の発明は、第１又は第２の発明において、前記評価値は、前記補助ゲームの時間が長いと大きくなるように設定されることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【発明の作用および効果】
本発明では、遊技過程検出手段及び記憶上限数変更手段によって、漫然と消化するだけの特別遊技状態に至らない遊技過程が評価されることで、退屈になりがちな特別遊技状態に至るまでの遊技過程を興趣溢れるものにすることができる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００６７
【補正方法】変更
【補正の内容】
【００６７】
また、ステップＳ１２０では、入賞口センサ１７Ａ〜Ｎの検出信号の読み取り結果に応じて、入賞口毎に定められた排出すべき賞球数を算出し、決定された賞球数の情報は、後述するステップＳ１２５、Ｓ１３６の処理によって払出コマンドとして排出制御装置２００に送信され、未排出の賞球数情報の記憶値を更新（加算）する。
【手続補正書】
【提出日】平成16年8月3日(2004.8.3)
【手続補正１】
【補正対象書類名】明細書
【補正対象項目名】発明の名称
【補正方法】変更
【補正の内容】
【発明の名称】弾球遊技機
【手続補正２】
【補正対象書類名】明細書
【補正対象項目名】特許請求の範囲
【補正方法】変更
【補正の内容】
【特許請求の範囲】
【請求項１】
内部に凹室を有し、前記凹室への遊技球の入球が不可能又は困難な閉鎖状態と、前記凹室への遊技球の入球が容易な開放状態とに変換する変動入賞装置を備えた弾球遊技機において、
前記凹室内の一側に、特定領域と、特定領域外領域とを並設し、
前記凹室に入球した遊技球を前記特定領域又は前記特定領域外領域に導く可動ガイド部材及び固定ガイド部材を備え、
前記可動ガイド部材及び前記固定ガイド部材は、前記可動ガイド部材及び前記固定ガイド部材の両方が前記凹室内の遊技球を前記特定領域又は前記特定領域外領域に誘導する状態と、前記可動ガイド部材が前記凹室内の遊技球を前記特定領域外領域に誘導し、前記固定ガイド部材が前記特定領域への入球を阻止する状態と、に変換するように構成されており、
前記可動ガイド部材を上下方向に回動可能に軸支する支点を有し、
前記可動ガイド部材及び前記固定ガイド部材の両方が前記凹室内の遊技球を前記特定領域又は前記特定領域外領域に誘導する状態のとき、前記可動ガイド部材が前記支点を中心に上方向に回動することで、前記可動ガイド部材と前記固定ガイド部材とで一律な傾斜角度が設定され、前記凹室に入球した遊技球が、前記一律な傾斜角度で傾斜し連続した前記可動ガイド部材及び前記固定ガイド部材上を転動し、前記特定領域又は前記特定領域外領域に誘導され、
前記可動ガイド部材が前記凹室内の遊技球を前記特定領域外領域に誘導し、前記固定ガイド部材が前記特定領域への入球を阻止する状態のとき、前記可動ガイド部材が前記支点を中心に下方向に回動することで、前記可動ガイド部材と前記固定ガイド部材との間に段差を形成し、前記段差によって前記凹室内に入球した遊技球の前記特定領域への入球を阻止し、前記特定領域外領域に誘導することを特徴とする弾球遊技機。
【請求項２】
前記固定ガイド部材と前記可動ガイド部材との境目は、平面視すると斜線状とされ、前記可動ガイド部材が下方向に回動して前記段差が形成されたときに遊技球を前記特定領域外領域に誘導しやすくしたことを特徴とする請求項１に記載の弾球遊技機。
【手続補正３】
【補正対象書類名】明細書
【補正対象項目名】０００６
【補正方法】変更
【補正の内容】
【０００６】
【課題を解決するための手段】
本発明は、上記課題を解決するために創作されたものであって、請求項１に記載の発明は、内部に凹室を有し、凹室への遊技球の入球が不可能又は困難な閉鎖状態と、凹室への遊技球の入球が容易な開放状態とに変換する変動入賞装置を備えた弾球遊技機において、凹室内の一側に、特定領域と、特定領域外領域とを並設し、凹室に入球した遊技球を特定領域又は特定領域外領域に導く可動ガイド部材及び固定ガイド部材を備え、可動ガイド部材及び固定ガイド部材は、可動ガイド部材及び固定ガイド部材の両方が凹室内の遊技球を特定領域又は特定領域外領域に誘導する状態と、可動ガイド部材が凹室内の遊技球を特定領域外領域に誘導し、固定ガイド部材が特定領域への入球を阻止する状態と、に変換するように構成されており、可動ガイド部材を上下方向に回動可能に軸支する支点を有し、可動ガイド部材及び固定ガイド部材の両方が凹室内の遊技球を特定領域又は特定領域外領域に誘導する状態のとき、可動ガイド部材が支点を中心に上方向に回動することで、可動ガイド部材と固定ガイド部材とで一律な傾斜角度が設定され、凹室に入球した遊技球が、一律な傾斜角度で傾斜し連続した可動ガイド部材及び固定ガイド部材上を転動し、特定領域又は特定領域外領域に誘導され、可動ガイド部材が凹室内の遊技球を特定領域外領域に誘導し、固定ガイド部材が特定領域への入球を阻止する状態のとき、可動ガイド部材が支点を中心に下方向に回動することで、可動ガイド部材と固定ガイド部材との間に段差を形成し、段差によって凹室内に入球した遊技球の特定領域への入球を阻止し、特定領域外領域に誘導することを特徴とするものである。
この構成の弾球遊技機においては、変動入賞装置が開放中に、遊技球が入賞すると、その遊技球は、入賞領域内の一側に並設された特定領域及び特定領域外領域側に下がって一律の傾斜角度で傾斜し連続した可動ガイド部材及び固定ガイド部材上を転動して特定領域又は特定領域外領域のいずれかに入球する。そして、少なくとも遊技球１個が特定領域に入球すると、可動ガイド部材が作動して、可動ガイド部材の傾斜角度を変動させ、それ以後に入賞した遊技球はすべて特定領域外領域に入球する。
【手続補正４】
【補正対象書類名】明細書
【補正対象項目名】０００８
【補正方法】変更
【補正の内容】
【０００８】
本構成の弾球遊技機では、トータル的に弾球遊技機の稼働時間の高効率化を図ることができる。
また、請求項２に記載の発明は、固定ガイド部材と可動ガイド部材との境目は、平面視すると斜線状とされ、可動ガイド部材が下方向に回動して段差が形成されたときに遊技球を特定領域外領域に誘導しやすくしたことを特徴とするものである。本構成の弾球遊技機では、可動ガイド部材が稼働した後に、固定ガイド部材との間に形成される段差によって特定領域に対する障害を設定し、遊技球を特定領域外領域へ正確に誘導し易くすることができる。
【手続補正５】
【補正対象書類名】明細書
【補正対象項目名】００７０
【補正方法】変更
【補正の内容】
【００７０】
【発明の効果】
上記請求項１に記載の弾球遊技機によれば、入賞領域内の一側に特定領域及び特定領域外領域を並設しているので、遊技球の振り分け機構の可動ガイド部材の傾動方向を逆方向へ変換する必要がなく、可動ガイド部材を固定ガイド部材と連続させ一律の傾斜角度で設定することができて、遊技球の各領域への入球速度を比較的高めることができる。その結果、変動入賞装置の１回当たりの作動時間を短縮することが可能となり、特別遊技の時間も比較的短縮することができる。また、特定領域外領域前までに至る可動ガイド部材の傾動方向の逆方向への変換がないため、可動ガイド部材の振幅を比較的小幅に抑えることができるので、振り分け機構をコンパクト化することができる。さらに、可動ガイド部材と固定ガイド部材との間に大きな段差を形成することができるので、遊技球の正確な振り分けができる。また、本構成の弾球遊技機によれば、トータル的に弾球遊技機の稼働時間の高効率化を図ることができる。
また、請求項２に記載の発明によれば、固定ガイド部材と可動ガイド部材との境目は、平面視すると斜線上とされ、可動ガイド部材が下方向に回動して段差が形成されたときに遊技球を特定領域外領域に誘導しやすくしているので、可動ガイド部材が稼働した後に、固定ガイド部材との間に形成される段差によって特定領域に対する障害を設定し、遊技球を特定領域外領域へ正確に誘導し易くすることができる。
【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  熱可塑性性樹脂からなる成型体を、０．１規定〜５規定の酸にて処理してなる微生物固定化担体。
【請求項２】  前記成型体を酸に０．１〜１０時間浸漬させてなる請求項１記載の微生物固定化担体。
【請求項３】  前記酸が塩酸である請求項１又は２に記載の微生物固定化担体。
【請求項４】  前記熱可塑性樹脂が酸変性熱可塑性性樹脂を含む請求項１〜３いずれかに記載の微生物固定化担体。
【請求項５】  前記酸変性熱可塑性樹脂がプロピレン−無水マレイン酸共重合体を含む請求項４記載の微生物固定化担体。
【請求項６】  前記酸変性熱可塑性樹脂がエチレン−メタクリル酸共重合体（アイオノマー樹脂）を含む請求項４記載の微生物固定化担体。
【手続補正２】
【補正対象書類名】明細書
【補正対象項目名】００１７
【補正方法】変更
【補正の内容】
【００１７】
前述の成型体を、０．１〜５規定の酸を用いて酸処理することによって、担体の流動性を向上させることができる。使用する酸の濃度が０.１規定未満であると、担体の初期流動性は無処理の場合と同等であり、酸処理の効果は認められない。
一方５規定を超える濃度の酸で処理した場合、樹脂表面の侵食や溶出が起こりやすく、耐久性に問題が生じる可能性があることに加え、処理の際、取り扱いに厳重な注意を払わないと危険であるため好ましくない。
【手続補正書】
【提出日】平成17年6月1日(2005.6.1)
【手続補正１】
【補正対象書類名】明細書
【補正対象項目名】請求項３
【補正方法】変更
【補正の内容】
【請求項３】
所定の傾き軸の回りに所定の角度だけ前記分散要素を傾けることにより、前記分散要素を移動させるステップをさらに含んでいる請求項１又は２に記載の方法。
【手続補正書】
【提出日】平成16年2月9日(2004.2.9)
【手続補正１】
【補正対象書類名】明細書
【補正対象項目名】請求項３
【補正方法】変更
【補正の内容】
【請求項３】
無機酸化物が次亜塩素酸、二酸化塩素、過マンガン酸カリであり、無機過酸化物が過酸化水素、過硫酸カリ、過硫酸アンモニウムである請求項１又は２に記載の海苔の処理方法。
【手続補正２】
【補正対象書類名】明細書
【補正対象項目名】０００７
【補正方法】変更
【補正の内容】
【０００７】
【課題を解決するための手段】
本発明によれば、無機酸化物、無機過酸化物、塩化第二鉄及び／又は硫酸第二鉄を含む酸溶液を用いて海苔及び海苔網に付着したスライム、珪藻類等の雑藻類を除去することを特徴とする海苔の処理方法が提供される。また無機酸化物、無機過酸化物、塩化第一鉄及び／又は硫酸第二鉄を含む酸溶液を、海水又は水で希釈してｐＨ＝２〜２．５に調整し、海苔及び海苔網に接触させてこれらに付着したスライム、珪藻類等の雑藻類を除去することを特徴とする海苔の処理方法が提供される。また上記の無機酸化物が次亜塩素酸、二酸化塩素、過マンガン酸カリであり、無機過酸化物が過酸化水素、過硫酸カリ、過硫酸アンモニウムである海苔の処理方法が提供される。
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
動画像を構成する画像データを受け取り、映像信号として出力する映像信号出力方法において、
画像データを映像信号として出力すべき時刻を表す情報を受け取ることを特徴とする映像信号出力方法。
【請求項２】
動画像を構成する画像データを受け取り、映像信号として出力する映像信号出力方法を格納する記憶媒体であって、該映像信号出力方法において画像データを映像信号として出力すべき時刻を表す情報を受け取ることを特徴とする映像信号出力方法を格納する記憶媒体。
【請求項３】
動画像を構成する画像データを受け取り、映像信号として出力する映像信号出力装置において、画像データを映像信号として出力すべき時刻を表す情報を受け取ることを特徴とする映像信号出力装置。
【請求項４】
音声を構成する音声データを受け取り、音声信号として出力する音声信号出力方法において、音声データを音声信号として出力すべき時刻を表す情報を受け取ることを特徴とする音声信号出力方法。
【請求項５】
映像信号出力装置に対して動画像データを与える機能を備えた映像信号出力方法であって、該機能を提供するためのインターフェース部を備え、該インターフェース部において、該動画像データを構成する画像フレームデータを映像信号として出力すべき時刻を表す情報を受け取ることを特徴とする映像信号出力方法。
【請求項６】
音声信号出力装置に対して音声データを与える機能を備えた音声信号出力方法であって、該機能を提供するためのインターフェース部を備え、該インターフェース部において、該音声データを構成する音声データパケットを音声信号として出力すべき時刻を表す情報を受け取ることを特徴とする音声信号出力方法。
【請求項７】
符号化されたデータの復号処理手段を少なくとも有するマルチメディア・データ処理システムにおけるデータ分離分配方法であって、多重化されたデータから出力すべき符号化されたデータを分離するとともに、該符号化されたデータが復号処理されて前記システムから出力されるべき出力時刻情報を取得して、該出力すべき符号化されたデータと、該出力時刻情報を、該出力すべきデータの復号処理手段に渡すことを特徴とするデータ分離分配方法。
【請求項８】
請求項７において、該データ分離分配方法は、前記多重化されたデータから、さらに前記符号化されたデータの復号処理開始時刻情報を取得して、前記出力すべき符号化されたデータと、前記出力時刻情報と、該復号処理開始時刻を、前記出力すべきデータの復号処理手段に渡すことを特徴とするデータ分離分配方法。
【請求項９】
符号化されたデータの復号処理手段を少なくとも有するマルチメディア・データ処理システムにおけるデータ分離分配方法であって、多重化されたデータから出力すべき符号化されたデータが復号処理されて前記システムから出力されるべき出力時刻情報を取得し、該出力時刻情報を供給するためのインターフェースを提供することを特徴とするデータ分離分配方法。
【請求項１０】
請求項７において、該データ分離分配方法は、前記多重化されたデータから、さらに前記符号化されたデータの復号処理開始時刻情報を取得して、前記出力時刻情報と、該復号処理開始時刻を供給するためのインターフェースを提供することを特徴とするデータ分離分配方法。
【請求項１１】
請求項７乃至８において、該データ分離分配方法は、さらに多重化されたデータから出力すべき符号化されたデータを分離することを特徴とするデータ分離分配方法。
【請求項１２】
請求項９において、該データ分離分配方法は、さらに該分離したデータを供給するためのインターフェースを提供することを特徴とするデータ分離分配方法。
【請求項１３】
符号化されたデータの復号処理方法であって、該復号処理方法は、符号化データと出力時刻情報を受け取り、該符号化データを復号し、復号データと該出力時刻情報を出力することを特徴とする復号処理方法。
【請求項１４】
符号化されたデータの復号処理方法であって、該復号処理方法は、符号化データを受け取り、該符号化データを復号し、復号データと出力時刻情報を出力することを特徴とする復号処理方法。
【請求項１５】
画像符号データの復号処理を行うことを特徴とする請求項１４記載の復号処理方法。
【請求項１６】
音声符号データの復号処理を行うことを特徴とする請求項１４記載の復号処理方法。
【請求項１７】
請求項１４記載の復号処理方法であって、出力時刻情報を取得するためのインターフェースを通して該出力時刻情報を取得し、復号データと出力時刻情報を提供するためのインターフェースを通して該復号データと該出力時刻情報を出力することを特徴とする復号処理方法。
【請求項１８】
動画像を構成する画像データを受け取り、映像信号として出力する映像信号出力方法において、画像データを映像信号として出力すべき時刻を表す情報を受け取ることを特徴とする映像信号出力方法と、音声を構成する音声データを受け取り、音声信号として出力する音声信号出力方法において、音声データを音声信号として出力すべき時刻を表す情報を受け取ることを特徴とする音声信号出力方法とを用い、出力映像と出力音声とを同期させる事を特徴とするマルチメディア・データ処理方法。
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計する方法において、
前記相帯の位置に関して前記キーバーの位置を調整することの電磁効果を判定することと、
不都合な電磁効果を最小にする前記相帯の位置に関する前記キーバーの位置を選択することとから成る方法。
【請求項２】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計する方法において、
前記相帯の位置に関して前記キーバーの位置を調整すること、前記キーバーの数を調整すること及び前記固定子スロットの数を調整することの電磁効果を判定することと、
総合して不都合な電磁効果を最小にするような、前記相帯の位置に関する前記キーバーの位置、前記キーバーの数及び前記固定子スロットの数を選択することとから成る方法。
【請求項３】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計する方法において、
前記キーバーの数を調整することの電磁効果を判定することと、
不都合な電磁効果を最小にする前記キーバーの数を選択することとから成る方法。
【請求項４】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計する方法において、
前記固定子スロットの数を調整することの電磁効果を判定することと、
不都合な電磁効果を最小にする前記固定子スロットの数を選択することとから成る方法。
【請求項５】
回転子（１８）と、キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する固定子（１６）とを具備する電気機械を動作させる方法において、前記キーバーに対する不都合な電磁効果を最小にする前記回転子の回転方向を選択することから成る方法。
【請求項６】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、
前記相帯の位置に関して前記キーバーの位置を調整することの電磁効果を判定する手段と、
不都合な電磁効果を最小にする前記相帯の位置に関する前記キーバーの位置を選択する手段とを具備するシステム。
【請求項７】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、
前記相帯の位置に関して前記キーバーの位置を調整すること、前記キーバーの数を調整すること及び前記固定子スロットの数を調整することの電磁効果を判定する手段と、
総合して不都合な電磁効果を最小にするような、前記相帯の位置に関する前記キーバーの位置、前記キーバーの数及び前記固定子スロットの数を選択する手段とを具備するシステム。
【請求項８】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、
前記キーバーの数を調整することの電磁効果を判定する手段と、
不都合な電磁効果を最小にする前記キーバーの数を選択する手段とを具備するシステム。
【請求項９】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、
前記固定子スロットの数を調整することの電磁効果を判定する手段と、
不都合な電磁効果を最小にする前記固定子スロットの数を選択する手段とを具備するシステム。
【請求項１０】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、前記相帯の位置に関して前記キーバーの位置を調整することの電磁効果を判定するためのシミュレーションを実行するコンピュータを具備するシステム。
【請求項１１】
キーバー（１２）により固定子フレーム（４０）に結合されたラミネーションセグメント（２６）と、前記ラミネーションセグメントの固定子スロット（２２）内にある固定子巻線（２０）の相帯（２８，３０）とを具備する電気機械の固定子を設計するシステムにおいて、
前記相帯の位置に関して前記キーバーの位置を調整すること、前記キーバーの数を調整すること及び前記固定子スロットの数を調整することの電磁効果を判定するためのシミュレーションを実行するコンピュータを具備するシステム。
【手続補正２】
【補正対象書類名】明細書
【補正対象項目名】０００４
【補正方法】変更
【補正の内容】
【０００４】
キーバー電圧は固定子ヨーク（背面鉄）の磁束密度を制限する。キーバー電圧の主な原因は、固定子コア外面の背後に溢れ出す漏れ磁束である。キーバーの電磁効果を減少させることができれば、機械を更に最適化するための電気関係の設計をより自在に、制約も少なく行え、それにより、効率や信頼性を損なわずに安全に機械コストを低減させることが可能になるであろう。
【特許文献１】特開昭５７−０７８３３４号公報
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
同期機械におけるロータであって、
ロータコアと、
該ロータコア上に取り付けられた超伝導コイルと、
該コイルの側部分のうちの少なくとも１つを被覆する真空ハウジングと、
該真空ハウジング及び前記コイルの側部分を覆って設けられた導電遮蔽体と、
を含むことを特徴とするロータ。
【請求項２】
前記真空ハウジングが、前記ロータコアに沿って長さ方向に延びるチャネル形ハウジングであることを特徴とする、請求項１に記載のロータ。
【請求項３】
前記導電遮蔽体が、銅合金又はアルミニウムで形成されることを特徴とする、請求項１に記載のロータ。
【請求項４】
カラーと該カラーのスロットとを有するロータ端シャフトを更に含み、前記真空ハウジングが前記スロットに対してシールされ、前記コイルの端部分が前記スロット内に延びることを特徴とする、請求項１に記載のロータ。
【請求項５】
軸線を有するロータコアと、
該コアの端部から軸線方向に延び、該コアの端部に隣接するスロットを有する端シャフトと、
前記コア軸線に対して平行な少なくとも１つのコイル側部と、前記コア軸線と直交する少なくとも１つのコイル端部とを有する超伝導ロータコイルと、
を含み、
前記コイル端部が前記端シャフトの前記スロットを貫通して延び、
真空ハウジングが、前記コイル側部を覆って設けられ、前記スロットに対してシールされて、前記コイルの周りに真空領域を形成する、
ことを特徴とするロータ。
【請求項６】
前記コイル側部を覆って設けられた導電遮蔽体を更に含むことを特徴とする、請求項５に記載のロータ。
【請求項７】
軸線を有するロータコアと、
該コアの両端部から軸線方向に延び、前記コア端部に隣接するスロットを各々が有する一対の端シャフトと、
前記コア軸線に対して平行で前記コアの対向する側面に隣接する少なくとも１つのコイル側部分を有する超伝導ロータコイルと、
を含み、
前記コイルが、前記コア軸線と直交し、前記コアの前記端部に隣接するコイル端部分を有し、該コイル端部分の各々が、前記端シャフトの前記スロットの１つを貫通して延び、
真空ハウジングが、前記各コイル側部分を覆って設けられ、前記スロットの１つに対して各々がシールされる端部を有し、
前記コイルの周りの真空領域が、前記対の端シャフトの前記スロット及び前記各コイル側部分を覆って設けられた真空ハウジングによって形成される、
ことを特徴とするロータ。
【請求項８】
前記遮蔽体が、前記コアの周りの円筒体であることを特徴とする特徴とする、請求項７に記載のロータ。
【請求項９】
前記遮蔽体が、前記コアの長さだけ延び、前記コアの円周の周りに部分的にのみ延びる弧状片であることを特徴とする、請求項７に記載のロータ。
【請求項１０】
同期機械のロータコアにおける超伝導コイル巻線の周りに真空を形成するための方法であって、
ａ．前記コイル巻線と前記ロータコアを組み立てる段階と、
ｂ．端シャフトを前記コアに同軸に取り付ける段階と、
ｃ．前記コイル巻線の側部分を覆って真空ハウジングを跨がせ、該真空ハウジングを前記ロータコアに対してシールする段階と、
ｄ．前記真空ハウジングを前記端シャフトに対してシールして、前記コイル巻線の周りに真空領域を形成する段階と、
を含むことを特徴とする方法。
【請求項１１】
端シャフトの間の各接合部のところにスロットを形成し、該スロットが、前記コイル巻線の端部分を受け、前記真空ハウジングを前記スロットに対してシールすることを特徴とする、請求項１０に記載の方法。
【手続補正書】
【提出日】平成17年2月4日(2005.2.4)
【手続補正１】
【補正対象書類名】明細書
【補正対象項目名】特許請求の範囲
【補正方法】変更
【補正の内容】
【特許請求の範囲】
【請求項１】
同期機械において、ロータが、
ロータコアと、
該ロータコアの少なくとも一部分の周りに延び、該ロータコアの両側に一対の側部分を有する超伝導コイル巻線と、
該コイル巻線の前記一対の側部分の間を、前記ロータを貫通して延びる少なくとも一つのテンションロッドと、
該テンションロッドの両端の各々におけるコイルハウジングと、
を備え、
該コイルハウジングが、前記コイル巻線の周りを包み、前記テンションロッドに取り付けられる、
ことを特徴とするロータ。
【請求項２】
前記コイルハウジングが、Ｕ形の溝であることを特徴とする、請求項１に記載のロータ。
【請求項３】
前記ロータコアが、内部が真空であることを特徴とする、請求項１に記載のロータ。
【請求項４】
前記コイル巻線に冷却流体を供給する極低温継手を更に備え、前記ハウジングと前記テンションロッドが、前記コイル巻線からの熱伝導によって冷却されることを特徴とする、請求項１に記載のロータ。
【請求項５】
前記ハウジングを前記テンションロッドに連結する止め具を更に備えることを特徴とする、請求項１に記載のロータ。
【請求項６】
前記テンションロッドが、前記ロータの長さ方向軸線を通って延びることを特徴とする、請求項１に記載のロータ。
【請求項７】
前記テンションロッドが、前記ロータコアの導管を貫通して延びることを特徴とする、請求項１に記載のロータ。
【請求項８】
同期機械のためのロータであって、
該ロータの長さ方向軸線に直交する導管を有するロータコアと、
前記ロータの長さ方向軸線に平行な、平面状のレーストラック形状のレーストラック形超伝導（ＳＣ）コイル巻線と、
前記コアの前記導管内のテンションロッドと、
該テンションロッドに前記コイル巻線を連結するハウジング継手と、
を備えることを特徴とするロータ。
【請求項９】
前記コイルの両端にクランプを更に備えることを特徴とする、請求項８に記載のロータ。
【請求項１０】
前記ロータコアの長さ方向軸線に直交し、前記ＳＣコイルによって定められる平面内にある複数の導管を更に備えることを特徴とする、請求項８に記載のロータ。